(57)【要約】【課題】乾燥容器内の塵等が発火・燃焼する危険性がなく、フィルターのメンテナンス性が優れた生ごみ処理機を提供することを目的とする。【解決手段】生ごみを乾燥容器内で加熱乾燥処理し、乾燥容器内の空気を循環させる循環経路と乾燥容器内部の空気を外部へ排気する排気経路を備えた生ごみ処理機において、循環経路の循環吸入口と排気経路の排気吸入口を一つのフィルターで覆う構成とした。また、フィルターは開閉扉を開いて着脱できる構成とした。さらに、フィルターの上流側に網状フィルターを設けた。【選択図】図３
2008100142.tif 000002
【特許請求の範囲】
【請求項１】
生ごみを投入するために開閉する開閉扉と、生ごみを乾燥する乾燥容器と、前記乾燥容器内の生ごみを撹拌する撹拌手段と、生ごみを加熱乾燥する加熱手段と、前記乾燥容器内の空気を循環させる循環経路と、前記乾燥容器内の空気を外部へ排気する排気経路を備えた生ごみ処理機において、前記循環経路の循環吸入口と前記排気経路の排気吸入口を一つのフィルターで覆うことを特徴とする生ごみ処理機。
【請求項２】
開閉扉を開閉してフィルターを着脱することを特徴とする請求項１記載の生ごみ処理機。
【請求項３】
フィルターの上流側に網状フィルターを設けたことを特徴とする請求項１記載の生ごみ処理機。
【発明の詳細な説明】
【技術分野】
【０００１】
本発明は、工場、飲食店、ホテル、一般家庭等から出る生ごみを加熱乾燥処理して減量化を計る生ごみ処理機に関するものである。
【背景技術】
【０００２】
生ごみを加熱乾燥処理する生ごみ処理機としては、電気ヒータの温風で加熱する方式や、ガスまたは灯油等の燃料をバーナで燃焼させ、その燃焼熱と熱交換して得られる温風で加熱する方式がある。
【０００３】
例えば、特許文献１に示すような生ごみ処理機では、乾燥容器内に導入された空気を電気ヒータの加熱手段により加熱し、この加熱された空気を温風ファンにより乾燥容器内で攪拌・循環させて生ごみに吹き付けて乾燥し、乾燥処理中に乾燥容器内部で発生した水蒸気や臭い成分を排出口から外部に排出するものである。
【特許文献１】特開２００３−６２５４２号公報
【発明の開示】
【発明が解決しようとする課題】
【０００４】
前述の生ごみ処理機では、乾燥容器内で乾燥された生ごみが粉塵化した場合、これらの粉塵化した塵等は排気口から外部に排出される際に排気口に設けられた排気フィルターで捕捉されるのが一般的であるが、温風ファンが乾燥容器内の空気を攪拌・循環する際に粉塵化した塵等が温風ファンに吸い寄せられるため、長期間使用を続けると温風ファンの近傍に粉塵化した塵等が堆積することになる。
【０００５】
すると温風ファンの近傍には外部から導入された空気を加熱するための電気ヒータが設けられているため、温風ファンの近傍に堆積した塵等は電気ヒータにより加熱されることになる。したがって、温風ファンの近傍に堆積した塵等が電気ヒータにより加熱されて発火・燃焼する危険性があるという問題があった。
【０００６】
また、排気口に排気フィルターを設けると同じように、温風ファンと電気ヒータを覆うようにフィルターを設けることにより塵等が温風ファンの近傍に堆積しなくなり発火・燃焼の危険性は少なくなるが、２個のフィルターが必要となり、各フィルターを別々に着脱してメンテナンスを実施しなければならないため、メンテナンス性が悪くなるという問題があった。
【０００７】
本発明は上記課題を解決するためのもので、乾燥容器内の塵等が発火・燃焼する危険性がなくなり、フィルターのメンテナンス性が優れた生ごみ処理機を提供することを目的とする。
【課題を解決するための手段】
【０００８】
本発明は、生ごみを投入するために開閉する開閉扉と、生ごみを乾燥する乾燥容器と、前記乾燥容器内の生ごみを撹拌する撹拌手段と、生ごみを加熱乾燥する加熱手段と、前記乾燥容器内の空気を循環させる循環経路と、前記乾燥容器内の空気を外部へ排気する排気経路を備えた生ごみ処理機において、前記循環経路の循環吸入口と前記排気経路の排気吸入口を一つのフィルターで覆うことを特徴とする生ごみ処理機に係わるものである。
【０００９】
また、開閉扉を開閉してフィルターを着脱することを特徴とする請求項１記載の生ごみ処理機に係わるものである。
【００１０】
また、フィルターの上流側に網状フィルターを設けたことを特徴とする請求項１記載の生ごみ処理機に係わるものである。
【発明の効果】
【００１１】
上述の構成により、乾燥容器内の空気を循環する循環経路に塵等が侵入しなくなると共に、開閉扉を開いて循環吸入口と排気吸入口を覆っているフィルターを簡単に着脱できるので、循環経路における塵等の発火・燃焼を防止できメンテナンス性を向上できる。さらに、繊維状の塵がフィルター内部に侵入し難くなるためフィルターが早期に目詰まりすることを防止でき、メンテナンス性を大幅に向上できる。
【発明を実施するための最良の形態】
【００１２】
好適と考える本発明の実施形態を、本発明の作用を示して簡単に説明する。
【００１３】
本発明は、生ごみを加熱乾燥処理して乾燥容器内の空気を循環させる循環経路と乾燥容器内部の空気を外部へ排気する排気経路を備えた生ごみ処理機において、循環経路の循環吸入口と排気経路の排気吸入口を一つのフィルターで覆う構成としたものである。また、フィルターは開閉扉を開いて着脱できるものである。さらに、フィルターの上流側に網状フィルターを設けたものである。
【００１４】
つまり、一つのフィルターが循環吸入口と排気吸入口を覆うので、乾燥容器内で発生した塵等は、フィルターに捕捉され循環経路と排気経路には侵入しなくなる。特に、循環経路では温風を生成する加熱部に塵等が堆積しなくなるので、加熱部で塵等が発火・燃焼するという危険性は無くなる。また、フィルターをメンテナンスする場合は、開閉扉を開けてフィルターを着脱すれば簡単に乾燥容器内部から取り出すことができるので、メンテナンス性を向上できる。
【００１５】
また、網状フィルターをフィルターの上流側（乾燥容器側）に設けたので、繊維状の塵は網状フィルターに引っかかり捕捉されフィルター内部にはほとんど侵入しなくなる。したがって、フィルターが早期に目詰まりすることを防止できると共に、フィルターの掃除を短時間で実施できるためメンテナンス性を大幅に向上できる。
【実施例】
【００１６】
本発明の具体的な実施例について図面に基づいて説明する。
【００１７】
図１は生ごみ処理機の外観傾視図、図２は側面構成図、図３は正面構成図である。まず、図１より１は生ごみ処理機の本体、２は本体１に生ごみを投入するための開閉自在の開閉扉である。また、３は生ごみ処理機の運転を制御するための操作部であり、この操作部３の下部には本体１内で乾燥処理された乾燥処理物を受けるための容器を格納する乾燥処理物収納部４を有している。
【００１８】
図２および図３より、５は本体１内に収納され生ごみを乾燥処理する乾燥容器、６は生ごみを乾燥するために必要な燃焼熱を生成する加熱手段としてのバーナ部、７は乾燥容器５から排出される臭気成分をバーナ部６の燃焼火炎にて加熱分解する臭い空気燃焼室である。８はバーナ部６の燃焼熱により活性化し臭気成分を酸化分解する脱臭触媒であり、この脱臭触媒８の下流に直交熱交換器９を設け、その下流に排気筒１０を連通している。
【００１９】
乾燥容器５内の上部には、排気ファン１１を介して排気吸入口１２と排気ダクト１３が連通し、この排気ダクト１３が臭い空気燃焼室７と連通している。そして、乾燥容器５からの空気は、臭い空気燃焼室７で加熱分解された後、脱臭触媒８を通過して完全に脱臭処理され、直交熱交換器９を通過して排気筒１０から無臭の空気として外部に排出される。つまり、乾燥容器５、排気吸入口１２、排気ファン１１、排気ダクト１３、臭い空気燃焼室７、脱臭触媒８、直交熱交換器９、排気筒１０から構成された排気経路１４を通じて乾燥容器５内の空気が外部に排気される構造としている。
【００２０】
さらに、循環吸入口１５の近傍に配設した循環ファン１６を介して循環吸入口１５と循環ダクト１７が連通し、この循環ダクト１７は脱臭触媒８と直交熱交換器９の周囲に空気の通路となる空隙を形成する箱体１８と乾燥容器５内に高温空気を導入するための温風吹出口ダクト１９と連通している。つまり、循環吸入口１５、循環ファン１６、循環ダクト１７、箱体１８、直交熱交換器９、温風吹出口ダクト１９から構成された循環経路２０により乾燥容器５内の空気が循環される構造としている。
【００２１】
乾燥容器５底部に内設された撹拌手段２１は、撹拌モータ２２により回転自在の回転軸２３に撹拌羽根２４を有する撹拌アーム２５を取り付けた構造である。そして、２６は生ごみの乾燥処理物を排出するための排出口、２７は排出口２６からの乾燥処理物を収容する乾燥処理物容器、２８はモータにより排出口２６を開閉する排出口開閉手段である。
【００２２】
また、乾燥容器５内の上部には、排気吸入口１２と循環吸入口１５を覆うようにフィルター組立品２９を設け、このフィルター組立品２９は開閉扉２を開閉して前側に引き出せる構造としている。つまり、乾燥容器５内で乾燥処理中に発生した塵等は、排気吸入口１２と循環吸入口１５に吸い込まれる前に、乾燥容器５の上部に設けられたフィルター組立品２９により捕捉されるのである。
【００２３】
さらに、図４及び図５はフィルター組立品２９の詳細を示す傾斜図と断面構成図であるが、フィルター組立品２９は、フィルター２９ａ、金属網（網状フィルター）２９ｂ、フィルター枠２９ｃ、及び取手２９ｄから構成され、フィルター２９ａの上流側（乾燥容器５内部側）に金属網２９ｂを重ねフィルター枠２９ｃにより固定し、フィルター枠２９ｃには取手２９ｄを設けている。この取手２９ｄは開閉扉２を開いてフィルター組立品２９を前側に引き出すときに用いるものである。
【００２４】
また、金属網２９ｂは乾燥容器５内で発生した繊維状の塵を捕捉するものである。つまり、繊維状の塵がフィルター２９ａ内に侵入すると除去するのに時間がかかるため、フィルター２９ａ内に繊維状の塵が侵入しないように金属網（網状フィルター）２９ｂを設けているのである。なお、本実施例では乾燥容器５の上部にフィルター組立品２９として取り付けしたが、フィルター２９ａのみを取り付けても構わない。さらに、網状フィルターとして金属網２９ｂを用いたが、耐熱性を有する樹脂製の網でも良く本実施例に限定されるものではない。
【００２５】
次に上記構成における動作を説明する。本体１の開閉扉２を開けて乾燥容器５に生ごみを投入し操作部３にて運転開始操作を行なうと、バーナ部６で予熱等の燃焼準備に入る。燃焼準備が完了すると、バーナ部６では灯油の気化ガスと一次空気の予混合気が図示しない着火装置により着火し燃焼を開始する。そして、この燃焼により発生した燃焼排ガスの燃焼熱は、臭い空気燃焼室７、脱臭触媒８、直交熱交換器９を加熱した後、排気筒１０より外部に排気される。
【００２６】
また、燃焼開始と相前後して撹拌手段２１は撹拌モータ２２により、例えば、１５秒撹拌／１５秒停止のように撹拌と停止を繰り返すように回転するが、これは乾燥容器５内で生ごみが片寄らないようにすると同時に、生ごみが撹拌羽根２４と乾燥容器５内側面に噛み込まないようにするためである。
【００２７】
さらに、撹拌手段２１が駆動すると同時に循環ファン１６が始動すると、乾燥容器５内の空気は循環吸入口１５より循環ダクト１７に流入して箱体１８に送られ、箱体１８内の空隙を通り直交熱交換器９に流入する。そして、直交熱交換器９を通過する空気はバーナ部６の燃焼熱と熱交換して高温空気となり、温風吹出口ダクト１９から乾燥容器５へ流入し、撹拌手段２１にて粉砕・撹拌されて表面積の拡大した生ごみを効率よく乾燥することになる。
【００２８】
一方、乾燥運転により乾燥容器５内部に発生した水蒸気や臭い空気は、排気ファン１１により排気吸入口１２から排気ダクト１３を通って臭い空気燃焼室７に噴出されるため、臭い空気の臭気成分はバーナ部６の燃焼火炎によって加熱分解され、さらに、臭い空気燃焼室７で加熱分解されずに残った臭気成分は臭い空気燃焼室７下流の脱臭触媒８に流入し完全に酸化分解され排気筒１０から無臭の空気として外部に排出される。
【００２９】
ここで、乾燥容器５内では循環経路２０で生成された高温空気により生ごみが加熱乾燥処理されるので水蒸気や臭い空気、さらに粉塵化した塵等が発生する。そして、この塵等は循環ファン１６と排気ファン１１により循環吸入口１５と排気吸入口１２に吸い込まれる前に、乾燥容器５の上部に設けられたフィルター組立品２９により捕捉されることになる。つまり、一つのフィルター組立品２９により循環経路２０と排気経路１４への塵等の侵入を防止することができるのである。
【００３０】
つまり、排気経路１４では脱臭触媒８の目詰りが発生し難くなり、循環経路２０では高温空気を生成する直交熱交換器９で目詰りが発生し難くなる。したがって、循環経路２０に塵等が侵入して直交熱交換器９が目詰りを起こし、この塵等が加熱されて発火・燃焼するという危険性は全く無くなるのである。
【００３１】
そして、フィルター組立品２９をメンテナンスする場合は、開閉扉２を開けてフィルター組立品２９の取手２９ｄを持ち前側に引き出せば簡単にフィルター組立品２９を乾燥容器５内部から取り出せるので、メンテナンス性を向上できるのである。なお、本実施例ではフィルター組立品２９を乾燥容器５の上部に設けたが側面に設けても良く本実施例に限定されるものではない。要は、循環吸込口１５と排気吸入口１２を一つのフィルター組立品２９で覆い、開閉扉２を開けてフィルター組立品２９を着脱できれば良いのである。
【００３２】
さらに、乾燥容器５内で発生した繊維状の塵は、フィルター２９ａの上流側に設けた金属網２９ｂに引っかかり捕捉されるのでフィルター２９ａ内には侵入しなくなる。つまり、フィルター２９ａ内に繊維状の塵が侵入すると除去するのに時間がかかるが、金属網２９ｂを設けることによりフィルター２９ａ内には繊維状の塵がほとんど侵入しないため、フィルター２９ａの掃除が短時間でできメンテナンス性を大幅に向上できるのである。
【図面の簡単な説明】
【００３３】
【図１】本発明の実施例の外観傾視図である。
【図２】本発明の実施例の側面構成図である。
【図３】本発明の実施例の正面構成図である。
【図４】本発明の実施例のフィルター組立品の傾斜図である。
【図５】本発明の実施例のフィルター組立品の断面構成図である。
【符号の説明】
【００３４】
２    開閉扉
５    乾燥容器
６    バーナ部（加熱手段）
１２  排気吸入口
１４  排気経路
１５  循環吸入口
２０  循環経路
２１  撹拌手段
２９ａ  フィルター
２９ｂ  金属網（網状フィルター）
【図１】
2008100142.tif 000003
【図２】
2008100142.tif 000004
【図３】
2008100142.tif 000005
【図４】
2008100142.tif 000006
【図５】
2008100142.tif 000007